(57)【特許請求の範囲】
【請求項１】
平板部（１０）に形成した中空のボス部（１１ａ）の基端部（１２）内側に増肉部（１２ｂ）を形成する中空ボスの成形方法であって、
前記平板部（１０）を支持する第１のプレート（１５）と、
前記ボス部（１１ａ）の基端部（１２）開口部内側の円弧部（１２ａ）を押圧支持するクッションリング（１６）と、
前記ボス部（１１ａ）の外径より小さい径の孔（１７ａ）を有するしごきダイ（１７）と、
前記ボス部（１１ａ）の内径より大きい径の基端部（１８ａ）とその基端部（１８ａ）の先端に形成され前記ボス部（１１ａ）の内径より小さい径の先端部（１８ｂ）を備えた第１の押し込みパンチ（１８）と
を用い、
前記しごきダイ（１７）及び第１の押し込みパンチ（１８）をボス部（１１ａ）先端側から前記クッションリング（１６）の押圧力に抗して可動させて、
前記しごきダイ（１７）にて前記ボス部（１１ａ）の外壁をしごくとともに、前記第１の押し込みパンチ（１８）の基端部（１８ａ）にて前記ボス部（１１ａ）の内壁を押し広げ、そのしごきと押し広げによって生じた前記ボス部（１１ａ）の余肉にて前記押し込みパンチ（１８）の先端部（１８ｂ）と前記クッションリング（１６）とで形成される空間に増肉部（１２ｂ）を形成したことを特徴とする中空ボスの成形方法。
【請求項２】
請求項１に記載の中空ボスの成形方法にて中空のボス部（１１ａ）の基端部（１２）内側に形成した増肉部（１２ｂ）を使って内方に延びるフランジ（１２ｃ）を形成する中空ボスの成形方法であって、
前記増肉部（１２ｂ）形成後のボス部（１１ａ）の内径と同じ径の基端部（２２ａ，２６ａ）とその基端部（２２ａ，２６ａ）の先端に形成され前記増肉部（１２ｂ）の内径より遙かに小さい径の先端部（２２ｂ，２６ｂ）を備えた第２の押し込みパンチ（２２，２６）と、
前記平板部（１０）と前記増肉部（１２ｂ）を支持するとともに、前記第２の押し込みパンチ（２２，２６）の先端部（２２ｂ，２６ｂ）が進入するパンチ進入孔（２０ａ，２４ａ）が形成された第２のプレート（２０，２４）と、
前記増肉部（１２ｂ）形成後のボス部（１１ａ）の外周を囲む内孔（２１ａ，２５ａ）が形成されるとともに、前記第２のプレート（２０，２４）と協働して前記平板部（１０）を挟持する据え込みダイ（２１，２５）と
を用い、
前記第２のプレート（２０，２４）と据え込みダイ（２１，２５）とで平板部（１０）を挟持した状態で、前記第２の押し込みパンチ（２２，２６）を前記ボス部（１１ａ）先端側から前記ボス部（１１ａ）内に進入させるとともに前記第２の押し込みパンチ（２２，２６）の先端部（２２ｂ，２６ｂ）が前記第２プレート（２０，２４）のパンチ進入孔（２０ａ，２４ａ）に進入するように可動させて、
前記第２の押し込みパンチ（２２，２６）の基端部（２２ａ，２６ａ）と先端部（２２ｂ，２６ｂ）との間の段差部（２２ｃ，２６ｃ）にて前記増肉部（１２ｂ）を塑性変形させてフランジ（１２ｃ）を形成したことを特徴とする中空ボスの成形方法。
【請求項３】
中空のボス部（１１ａ）を形成した平板部（１０）を支持する第１のプレート（１５）と、
前記ボス部（１１ａ）の基端部（１２）開口部内側の円弧部（１２ａ）を押圧支持するクッションリング（１６）と、
前記ボス部（１１ａ）の外径より小さい径の孔（１７ａ）を有するしごきダイ（１７）と、
前記ボス部（１１ａ）の内径より大きい径の基端部（１８ａ）とその基端部（１８ａ）の先端に形成されボス部（１１ａ）の内径より小さい径の先端部（１８ｂ）を備えた第１の押し込みパンチ（１８）と
からなる中空ボスの成形装置。
【発明の詳細な説明】
【０００１】
【発明の属する技術分野】
本発明は中空ボスの成形方法及びその成形装置に係り、詳しくはベアリングなどの軸受を保持する中空ボス部の内径にフランジ面を成形する方法及び装置に関するものである。
【０００２】
【従来の技術】
一般に、金属板をバーリング加工した後その内径にわずかな段差を設けた中空ボスの成形方法として板金成形における板厚形状制御方法（ＦＣＦ工法）が知られている。普通の板金成形は、打ち抜き、絞り、曲げ、バーリングなどを主体とする工程レイアウトであったが、ＦＣＦ工法ではさらに冷間鍛造の据え込み、しごき、押し出し工法を活用している。
【０００３】
また、中空ボス部の基端側を増肉成形する方法及びその装置は例えば特開平７−１２４６５７号公報に開示されている。この技術は、図８に示すように、パンチ３０を圧下すると、テーパ部３１によってボス部３２の内周側の肉が外周側に比べて多量に移動させ、基端部３３側にあったコーナ部ｒを略直角に整形するとともに増肉部３４を形成するようにしたものである。
【０００４】
【発明が解決しようとする課題】
ところで、この技術にて薄板金属板から成形された中空ボス部３２は、その基端部３３側にあったコーナ部ｒが冷間鍛造の据え込み、しごき加工においてパンチ３０の押し出しによって下ダイ３５とパンチ３０の先端ガイド部３６とより構成された隙間３７から膨出する。つまり、コーナ部ｒから自然膨出増肉することができる。
【０００５】
しかしながら、前記コーナ部ｒの膨出とともにボス部３２の外周隅部３８が内側に引き込まれることから、前記ボス部３２の外周隅部３８に巻き込み３９が発生する。このわずかな欠陥を残した状態でフランジ面を得るための据え込み等後続加工を行うと、ボス部３２の外周隅部３８に内部クラックが発生し、部品の強度及び耐振動性などの機械性能に悪い影響を与えるという問題点があった。このため、超音波モータのようなモータにおいて軸受保持部のフランジ面を得るためには別部品を係合させて構成するものが一般であって、部品点数の低減によるモータの小型及び軽量化は困難であった。
【０００６】
本発明は、上記問題点を解消するためになされたものであって、その第１目的は、ボス部の外周隅部の巻き込みを防止することができ、部品の強度及び耐振動性などの機械性能を向上することができる中空ボスの成形方法及びその成形装置を提供することにある。
【０００７】
第２目的は、ベアリングなどの軸受を保持する中空ボス部の内径にフランジを簡単に成形することができる中空ボスの成形方法を提供することにある。
【０００８】
【課題を解決するための手段】
上記問題点を解決するため、請求項１に記載の発明は、平板部に形成した中空のボス部の基端部内側に増肉部を形成する中空ボスの成形方法であって、前記平板部を支持する第１のプレートと、前記ボス部の基端部開口部内側の円弧部を押圧支持するクッションリングと、前記ボス部の外径より小さい径の孔を有するしごきダイと、前記ボス部の内孔より大きい径の基端部とその基端部の先端に形成され前記ボス部の内径より小さい径の先端部を備えた第１の押し込みパンチとを用い、前記しごきダイ及び第１の押し込みパンチをボス部先端側から前記クッションリングの押圧力に抗して可動させて、前記しごきダイにて前記ボス部の外壁をしごくとともに、前記第１の押し込みパンチの基端部にて前記ボス部の内壁を押し広げ、そのしごきと押し広げによって生じたボス部の余肉にて前記押し込みパンチの先端部と前記クッションリングとで形成される空間に増肉部を形成した。
【０００９】
請求項２に記載の発明は、請求項１に記載の中空ボスの成形方法にて中空のボス部の基端部内側に形成した増肉部を使って内方に延びるフランジを形成する中空ボスの成形方法であって、前記増肉部形成後のボス部の内径と同じ径の基端部とその基端部の先端に形成され前記増肉部の内径より遙かに小さい径の先端部を備えた第２の押し込みパンチと、前記平板部と前記増肉部を支持するとともに、前記第２の押し込みパンチの先端部が進入するパンチ進入孔が形成された第２のプレートと前記増肉部形成後のボス部の外周を囲む内孔が形成されるとともに、前記第２のプレートと協働して前記平板部を挟持する据え込みダイとを用い、前記第２のプレートと据え込みダイとで平板部を挟持した状態で、前記第２の押し込みパンチを前記ボス部先端側から前記ボス部内に進入させるとともに前記第２の押し込みパンチの先端部が前記第２プレートのパンチ進入孔に進入するように可動させて、前記第２の押し込みパンチの基端部と先端部との間の段差部にて前記増肉部を塑性変形させてフランジを形成した。
【００１０】
請求項３に記載の発明は、中空のボス部を形成した平板部を支持する第１のプレートと、前記ボス部の基端部開口部内側の円弧部を押圧支持するクッションリングと、前記ボス部の外径より小さい径の孔を有するしごきダイと、前記ボス部の内径より大きい径の基端部とその基端部の先端に形成されボス部の内径より小さい径の先端部を備えた第１の押し込みパンチとからなる。
【００１１】
従って、請求項１及び３に記載の発明によれば、しごきダイと第１の押し込みパンチとを同時に下方へ移動させるとき、ボス部の内壁は前記第１の押し込みパンチにより外方に押し広げられ、ボス部の外壁はしごきダイによりしごき加工されることによって、基端部には多量の増肉部が形成される。この際、ボス部の基端部側の円弧部が始終にクッションリングの端面受け部により支持されながら、加工されるので、第１の押し込みパンチとしごきダイとの下方への移動による基端部の増肉は前記第１の押し込みパンチ及びクッションリングにより拘束され、自然膨出による増肉はない。
【００１２】
請求項２に記載の発明によれば、増肉成形段階で形成した増肉部は、第２の押し込みパンチを下方へ移動させることによって、第２の押し込みパンチの段差部と第２のプレートの上面とを沿って塑性変形され、フランジ部は形成される。
【００１３】
【発明の実施の形態】
以下、本発明を超音波モータのハウジングを構成する基台の成形に具体化した一の実施形態を図１〜図７に従って説明する。
【００１４】
図１に示すように、超音波モータ１は、圧電素子２の駆動により振動するステータ３と、そのステータ３に対して加圧接触したロータ４と、そのロータ４に連結され同ロータ４と共に回転する回転軸５と、前記ステータ３、ロータ４及び回転軸５を収納するハウジング６とを備えている。前記ハウジング６は基台７とカバー８とから構成され、前記ステータ３を固設している。
【００１５】
そして、前記基台７は、図２に示すように、薄板鋼板をバーリング加工して成形され、軸受９を保持するための円筒状の軸受保持部７ａと、前記ステータ３を支持固定するための膨出部７ｂと、前記回転軸５を挿通するための貫通孔７ｃとを備えている。前記軸受保持部７ａの基端部には、軸受９を軸線方向に保持するための保持段差部７ｄも同時に成形されている。前記軸受保持部７ａは中空ボスであって、前記膨出部７ｂはその中空ボスの基端側を増肉成形することによって形成されている。
【００１６】
上記基台７は増肉成形工程、フランジ成形工程、及び、据え込み整形工程とを経て成形される。以下、その成形方法について説明する。
図３及び図４に示すように、基台７の素材となるワークＷ１は、平板状の薄板鋼板の平板部１０から中空のボス部１１ａをバーリング加工により押し出し成形したものである。前記ボス部１１ａの基端部１２の内周部には縦断面円弧状の円弧部１２ａが形成されている。そして、このワークＷ１を金型１３の中に設定して前記基端部１２を増肉成形させる。
【００１７】
「増肉成形」
まず、増肉成形のための金型１３について説明する。
前記金型１３は、ホルダ１４と、そのホルダ１４の上に載置する第１のプレート１５と、その第１のプレート１５により案内されるクッションリング１６と、しごきダイ１７と、第１の押し込みパンチ１８とから構成されている。
【００１８】
前記ホルダ１４は、第１のプレート１５を支持する基台であって、その中央には圧力を導入するための貫通孔１４ａが形成されている。
前記ホルダ１４の上に載置された第１のプレート１５は、ワークＷ１を支持するための上面１５ａと、ホルダ１４に当接する下面１５ｂとを備え、その下面１５ｂの中央には、前記貫通孔１４ａより大径の孔１５ｃが形成されている。そして、その孔１５ｃの上にはその孔１５ｃより小径の案内孔１５ｄが貫通形成されている。
【００１９】
前記クッションリング１６は、図３及び図４に示すように、大径の鍔部１６ａとその鍔部１６ａの上に形成された円柱部１６ｂとを備えている。前記円柱部１６ｂの上面外周部には前記ワークＷ１を支持する端面受け部１６ｃが形成されている。端面受け部１６ｃは、縦断面円弧状に形成されている。そして、その端面受け部１６ｃの円弧半径は前記ワークＷ１の円弧部１２ａの円弧半径とほぼ同じになっている。また、前記円柱部１６ｂの中央には底部円錐形を呈する有底のパンチ進入孔１６ｄが形成されている。その円柱部１６ｂの外径は前記第１のプレート１５の案内孔１５ｄの内径と同じであって、その鍔部１６ａの外径は前記第１の第１のプレート１５の孔１５ｃの内径より小さくしている。また、前記クッションリング１６の下面１６ｅから端面受け部１６ｃの下縁までの長さｈ１は前記第１のプレート１５の厚さＨ１と同じであって、前記鍔部１６ａの厚さｈ２は前記孔１５ｃの深さＨ２より小さくしている。従って、クッションリング１６の下面１６ｅを第１のプレート１５の下面１５ｂに合わせたとき、前記端面受け部１６ｃが第１のプレート１５の上面１５ａから突出する。
【００２０】
そして、前記クッションリング１６は、その円柱部１６ｂを前記案内孔１５ｄに貫挿させ、その案内孔１５ｄに沿って移動されるように第１のプレート１５に保持されている。その時、前記鍔部１６ａは、前記孔１５ｃの中に内在され、前記ホルダ１４の貫通孔１４ａを介して供給される圧力Ｐを受けてクッションリング１６を図３に示すように上動させる。
【００２１】
前記クッションリング１６の端面受け部１６ｃの上にワークＷ１が設置され、そのワークＷ１の上にしごきダイ１７が設定され、そのワークＷ１の中空ボス部１１ａ内に第１の押し込みパンチ１８が設定されている。前記しごきダイ１７の中央には成形面孔１７ａが形成され、その成形面孔１７ａの内径Ｄ２はボス部１１ａの外径Ｄ１より小さくしている。
【００２２】
前記第１の押し込みパンチ１８は、大径の基端部１８ａと、小径の先端部１８ｂと、その基端部１８ａと先端部１８ｂとをつなぐ連結部１８ｃとを備えている。連結部１８ｃには基端部１８ａ側に内径押し込み円弧部１８ｄと先端部１８ｂ側に内径増肉拘束円弧部１８ｅが形成されている。前記基端部１８ａの外径ｄ２は前記ワークＷ１のボス部１１ａの内径ｄ１より大きくしている。前記先端部１８ｂの外径ｄ３は前記クッションリング１６の孔１６ｄの内径と同じであって、前記ワークＷ１のボス部１１ａの内径ｄ１より小さくしている。
【００２３】
そして、上記のように構成した金型１３を使って前記ワークＷ１は以下のように増肉成形される。
図４に示すように、ボス部１１ａの基端部１２に形成された円弧部１２ａが前記クッションリング１６の端面受け部１６ｃに嵌合するようにワークＷ１を配置する。また、この時、クッションリング１６は圧力Ｐにて上動している。この状態から前記しごきダイ１７と前記第１の押し込みパンチ１８とを同時に下方に移動させる。このとき、前記ワークＷ１は前記クッションリング１６とともに圧力Ｐに抗して下がる。この時、前記中空ボス部１１ａの内孔は前記第１の押し込みパンチ１８の内径押し込み円弧部１８ｄにより外方に押し広げられる。一方、前記中空ボス部１１ａの外壁は前記しごきダイ１７の成形面孔１７ａによりしごき加工される。その結果、図５に示すように、前記基端部１２は増肉され、増肉部１２ｂが形成される。
【００２４】
この際、前記クッションリング１６の長さｈ１は前記第１のプレート１５の厚さＨ１と同じであるため、前記クッションリング１６は、下面１６ｅが前記ホルダ１４と当接するまで圧下されたとき、前記ワークＷ１の平板部の下面は第１のプレート１５の上面１５ａと当接する。その結果、前記基端部１２の増肉は、しごきダイ１７と、前記クッションリング１６の端面受け部１６ｃと、前記第１の押し込みパンチ１８の先端部１８ｂ及び連結部１８ｃとより構成された空間で行われて増肉部１２ｂが形成される。即ち、前記第１の押し込みパンチ１８としごきダイ１７の下方への移動による前記基端部１２の増肉は前記第１の押し込みパンチ１８及びクッションリング１６により拘束され、完全に自然膨出増肉することができない状態となっている。そして、上記第１工程の加工段階で増肉成形により形成されたワークＷ１は、図６に示す第２工程としてのフランジ部成形加工段階に移される。
【００２５】
「フランジ部成形」
まず、フランジ部成形のための金型１９について説明する。
前記金型１９は、第２のプレートとしてのダイプレート２０と、据え込みダイ２１と、第２の押し込みパンチとしての据え込みパンチ２２とを備えている。
【００２６】
前記ダイプレート２０は、パンチ進入孔２０ａと平板部１０の下面１０ｂを支持する上面２０ｂを有している。前記据え込みダイ２１は、ワークＷ１のボス部１１ａを囲む同じ直径の内孔２１ａと、ワークＷ１の平板部１０の上面１０ａを支持する下面２１ｂとを有する。
【００２７】
前記据え込みパンチ２２は大径の基端部２２ａと、小径の先端ガイド部２２ｂと、その基端部２２ａと先端ガイド部２２ｂとをつなぐ段差部２２ｃとを備えている。前記基端部２２ａの外径ｄ５は、前記第１の押し込みパンチ１８の基端部１８ａの外径ｄ２と同じにしている。また、前記先端ガイド部２２ｂの外径ｄ６は、前記第１の押し込みパンチ１８の先端部１８ｂの外径ｄ３より遙かに小さくしている。
【００２８】
そして、上記のように構成した金型１９を使って前記ワークＷ１は以下のようにフランジ部成形される。
この加工段階において、前記ワークＷ１は、金型１９を構成するダイプレート２０と据え込みダイ２１により挟持し、据え込みパンチ２２を下方へ移動させる。その結果、前記増肉部１２ｂは、前記据え込みパンチ２２の段差部２２ｃとダイプレート２０の上面２０ｂとを沿って塑性変形され、フランジ部１２ｃが形成される。
【００２９】
次、上記の加工段階で形成されたフランジ部１２ｃは、第３工程にて据え込み整形される。
「据え込み整形」
まず、据え込み整形のための金型２３について説明する。
【００３０】
前記金型２３は、図７に示すように、第２のプレートとしての整形ダイホルダ２４と、据え込みダイ２５と、第２の押し込みパンチとしての据え込み整形パンチ２６とを備えている。
【００３１】
前記整形ダイホルダ２４は、前記パンチ進入孔２１ａより小径のパンチ進入孔２４ａと、平板部１０の下面１０ｂを支持する上面２４ｂを有している。前記据え込みダイ２５は、前記ワークＷ１のボス部１１ａを囲む同じ直径の内孔２５ａと、ワークＷ１の平板部１０の上面１０ａを支持する下面２５ｂとを有する。
【００３２】
前記据え込み整形パンチ２６は、大径の基端部２６ａと小径の先端ガイド部２６ｂと、その基端部２６ａと先端ガイド部２６ｂとをつなぐ段差部２６ｃとを備えている。基端部２６ａの外径ｄ７は前記据え込みパンチ２２の基端部２２ａの外径ｄ５より大きくしている。また、先端ガイド部２６ｂの外径ｄ８は前記先端ガイド部２２ｂの外径ｄ６より小さくしている。即ち、前記基端部２６ａの外径ｄ７はワークＷ１のボス部１１ａの内径よりやや大きくしている。また、前記基端部２６ａと先端ガイド部２６ｂとをつなぐ段差部２６ｃの基端には凹部２６ｄが設けられている。
【００３３】
そして、上記のように構成した金型２３を使って前記ワークＷ１は以下のように据え込み整形される。
この加工段階において、フランジ部１２ｃを形成したワークＷ１は、金型２３を構成する整形ダイホルダ２４と据え込みダイ２５により挟持される。続いて、据え込み整形パンチ２６を下方へ移動させることによって据え込み整形される。即ち、前記据え込み整形パンチ２６を下方へ移動させるとき、ボス部１１ａの内孔はしごかれることによって、軸受保持部７ａが形成される。このとき、ボス部１１ａの基端部１２には前記凹部２６ｄと対応して保持段差部１２ｄ（即ち７ｄ）が形成されるとともに、前記フランジ部１２ｃはテーパ状に整形され、膨出部７ｂが形成される。
【００３４】
次に、上記のような超音波モータ１の基台７を成形する成形方法と成形装置との特徴を説明する。
（１）本実施形態では、ボス部１１ａの外径Ｄ１に対してしごきダイ１７の成形面孔１７ａの内径Ｄ２を小さく、ボス部１１ａの内径ｄ１に対して第１の押し込みパンチ１８の基端部１８ａの外径ｄ２を大きくしているので、前記しごきダイ１７と第１の押し込みパンチ１８とを同時に下方へ移動させるとき、前記ボス部１１ａの内孔は第１の押し込みパンチ１８により外方に押し広げられる。一方、前記ボス部１１ａの外壁はしごきダイ１７によりしごき加工される。その結果、基端部１２には多量の増肉部１２ｂが形成されることができる。
【００３５】
（２）本実施形態では、しごきダイ１７とホルダ１４との間に第１のプレート１５とクッションリング１６が設置され、しかも、前記クッションリング１６の鍔部１６ａに下から圧力Ｐがかけられる。そのため、前記しごきダイ１７と第１の押し込みパンチ１８とを同時に下方へ移動させるとき、ワークＷ１は前記クッションリング１６とともに圧力Ｐに抗して下がる。この時、前記ボス部１１ａの内孔は前記押し込み第１の押し込みパンチ１８により外方に押し広げられる。一方、前記ボス部１１ａの外壁は前記しごきダイ１７によりしごき加工される。その結果、基端部１２は増肉され、増肉部１２ｂが形成される。この際、前記ワークＷ１は、その基端部１２側の円弧部１２ａが始終にクッションリング１６の端面受け部１６ｃにより支持されながら、加工されるので、前記第１の押し込みパンチ１８としごきダイ１７との下方への移動による前記基端部１２の増肉は前記第１の押し込みパンチ１８及びクッションリング１６により拘束され、完全に自然膨出増肉することができなくなる。その結果、前記増肉部１２ｂが形成されるとともにボス部１１ａの外周隅部１１ｄが内側に引き込まれることなく、外周隅部１１ｄに巻き込み及びくびれ、クラックが発生しないことから、基台７の強度及び耐振動性などの機械性能を向上することができる。
【００３６】
（３）本実施形態では、ワークＷ１は、金型１９を構成するダイプレート２０と据え込みダイ２１により挟持し、据え込みパンチ２２を下方へ移動させる。その結果、前記増肉部１２ｂは、前記据え込みパンチ２２の段差部２２ｃとダイプレート２０の上面２０ｂとを沿って塑性変形され、フランジ部１２ｃが簡単に形成されることができる。
【００３７】
（４）本実施形態では、据え込み整形パンチ２６は、その基端部２６ａの外径ｄ７がワークＷ１のボス部１１ａの内径よりやや大きくしている。また、前記基端部２６ａと先端ガイド部２６ｂとをつなぐ段差部２６ｃの基端には凹部２６ｄが設けられているので、前記据え込み整形パンチ２６を下方へ移動させるとき、ボス部１１ａの内孔はしごかれることによって、軸受保持部７ａが形成されながら、ボス部１１ａの基端部１２には前記凹部２６ｄと対応して保持段差部１２ｄ（即ち７ｄ）が形成される。また、前記フランジ部１２ｂはテーパ状に整形され、膨出部７ｂが形成される。その結果、ボス部１１ａの内孔はしごき加工されることによって軸受保持部７ａが高精度に形成されることができるとともに、しごきの余肉量を利用して軸受９を軸線方向に保持するための保持段差部７ｄも同時に形成されることができることから、超音波モータの部品点数の低減、モータの小型及び軽量化に貢献することができ、切削などによる後加工にて高精度加工をする必要がないため、大幅なコストを低減することができる。
【００３８】
なお、本発明は上記形態に限定されることはなく、本発明の趣旨から逸脱しない範囲で以下のようにしてもよい。
○上記実施形態では、超音波モータ１のハウジング６の基台７にて実施したが、軸受部を有するＤＣモータ、ＡＣモータなどの軸受部品に実施してもよい。また、モータ以外にベアリングなどの軸受を保持する中空ボス部の内径にフランジ面を成形する必要のある他部品に実施してもよい。この場合、上記実施形態と同様な効果を得ることができる。
【００３９】
○上記実施形態では、増肉成形、フランジ部成形、据え込み整形に従って、基台７の軸受保持部７ａ、保持段差部７ｄ及び膨出部７ｂは形成されるように実施したが、他部品に実施するとき、必要に応じて、フランジ部成形もしくは据え込み整形又はフランジ部成形及び据え込み整形を省略して実施してもよい。この場合、上記実施形態の実施した各工程と対応する効果を得ることができる。
【００４０】
○上記実施形態では、クッションリング１６は、円盤状の鍔部１６ａとその鍔部１６ａの上に形成された円柱部１６ｂとを備えているように実施したが、前記鍔部１６ａは円盤状以外の形状にて実施してもよい。この場合、上記実施形態と同様な効果を得ることができる。
【００４１】
○上記実施形態では、各パンチの連結部のテーパ角度又は曲面半径特に据え込み整形パンチ２６の段差部２６ｃのテーパ角度を限定せずに実施したが、各部品の必要に応じて特に膨出部の必要なテーパ角度に応じて各パンチの連結部のテーパ角度又は曲面半径特に据え込み整形パンチ２６の段差部２６ｃのテーパ角度を選択して実施してもよい。この場合、上記実施形態と同様な効果を得ることができる。
【００４２】
○上記実施形態では、据え込み整形パンチ２６の段差部２６ｃの基端には凹部２６ｄを設けて実施したが、その凹部２６ｄを省略して実施してもよい。この場合、据え込み整形パンチ２６の圧下ストローク（距離）を調整することによってしごきの余肉量を利用して軸受９の保持段差部７ｄを形成させ、上記実施形態と同様な効果を得ることができる。
【００４３】
上記実施形態から把握できる請求項以外の技術思想について、以下にその効果とともに記載する。
○請求項２に記載の中空ボスの成形方法にて形成した軸受構造のハウジング。
【００４４】
従って、中空ボス部の外周隅部の巻き込みを防止することができ、ハウジングの強度及び耐振動性などの機械性能を向上することができるとともに、軸受を保持する中空ボス部の内径にフランジ面を簡単に成形することができる。
【００４５】
○請求項２に記載の中空ボスの成形方法にて形成した超音波モータのハウジング。
従って、超音波モータのハウジングの強度及び耐振動性などの機械性能を向上することができるとともに、ステータを支持固定する膨出部及び軸受を保持する保持段差部を簡単に成形することができ、超音波モータの小型及び軽量化が可能となる。
【００４６】
【発明の効果】
以上詳述したように、請求項１及び３に記載の本発明の成形方法及びその成形装置によれば、ボス部の外周隅部の巻き込みを防止することができ、部品の強度及び耐振動性などの機械性能を向上することができる。
【００４７】
請求項２に記載の発明によれば、ベアリングなどの軸受を保持する中空ボス部の内径にフランジ面を簡単に成形することができる。
【図面の簡単な説明】
【図１】本実施形態の超音波モータの断面図。
【図２】同じく超音波モータの基台の断面図。
【図３】本実施形態のワークＷ１のボス部を増肉成形させる前の取付断面図。
【図４】本実施形態のワークＷ１のボス部を増肉成形させる前の取付要部斜視図。
【図５】本実施形態のワークＷ１のボス部を増肉成形させた後の状態断面図。
【図６】本実施形態のワークＷ１のフランジ部を据え込みさせた後の状態断面図。
【図７】本実施形態のワークＷ１を据え込み整形させた後の状態断面図。
【図８】従来技術のワークＷのボス部が増肉成形された後の状態断面図。
【符号の説明】
１…超音波モータ、６…ハウジング、７…基台、７ａ…軸受保持部、７ｂ…膨出部、７ｄ，１２ｄ…保持段差部、１０…平板部、１１ａ…中空のボス部、１２…ボス部の基端部、１２ｂ…増肉部、１２ｃ…フランジ部、１４…ホルダ、１５…第１のプレート、１６…クッションリング、１６ｃ…端面受け部、１７…しごきダイ、１８…第１の押し込みパンチ、２０…ダイプレート、２１，２５…据え込みダイ、２２…据え込みパンチ、２４…整形ダイホルダ、２６…据え込み整形パンチ、Ｗ１…ワーク。
【図１】
0003617761.tif 000002
【図２】
0003617761.tif 000003
【図３】
0003617761.tif 000004
【図４】
0003617761.tif 000005
【図５】
0003617761.tif 000006
【図６】
0003617761.tif 000007
【図７】
0003617761.tif 000008
【図８】
0003617761.tif 000009